(57)【要約】【課題】電気分解時に発生するスケールの発生を抑制し、水交換に要するインターバル時間を長く設定できるようにした空気除菌装置を提供する。【解決手段】筐体内に送風機２１と気液接触部材３１とを備え、送風機２１により吸い込まれた室内空気に対し、気液接触部材３１で電解水を接触させて除菌した後に、該空気を室内空間に吹き出す空気除菌装置において、水を貯留した給水タンク４１と、給水タンク４１から流出した水を一時的に蓄える水受け皿４４と、水受け皿に蓄えた水を汲み上げる循環ポンプ４２と、循環ポンプで汲み上げた水から電解水を生成する電解水生成部４３と、電解水を気液接触部材３１、水受け皿４４の順に環流させる環流経路とを備え、電解水の環流経路から外れた給水タンク４１内に、水の硬度を調整するためのイオン交換樹脂パック１００を備えた。【選択図】図２
2008167952.tif 000002
【特許請求の範囲】
【請求項１】
筐体内に送風機と気液接触部材とを備え、送風機により吸い込まれた室内空気に対し、気液接触部材で電解水を接触させて除菌した後に、該空気を室内空間に吹き出す空気除菌装置において、
水を貯留した給水タンクと、給水タンクから流出した水を一時的に蓄える水受け皿と、水受け皿に蓄えた水を汲み上げる循環ポンプと、循環ポンプで汲み上げた水から電解水を生成する電解水生成部と、電解水を気液接触部材、水受け皿の順に環流させる環流経路とを備え、
電解水の環流経路から外れた給水タンク内に、水の硬度を調整するためのイオン交換樹脂パックを備えたこと、
を特徴とする空気除菌装置。
【請求項２】
請求項１に記載の空気除菌装置において、
前記電解水生成部が少なくとも一対の電極と、これら電極間の通電状態を制御する制御部とを有し、前記制御部には、前記電極間の通電状態を変更操作するための操作手段を設けたこと、
を特徴とする空気除菌装置。
【請求項３】
請求項２に記載の空気除菌装置において、
前記操作手段を、前記制御部を収容する電装箱に設けた孔から前記電装箱の外側に露出させて配置したこと、
を特徴とする空気除菌装置。
【請求項４】
請求項３に記載の空気除菌装置において、
前記操作手段は、回転操作することにより前記電極間の通電状態を予め設定された複数段階の通電状態に段階的に変更可能に構成されること、
を特徴とする空気除菌装置。
【請求項５】
請求項２〜４のいずれか一項に記載の空気除菌装置において、
前記筐体は、取り外し自在な外装パネルを備え、
前記外装パネルを取り外した際に、前記操作手段が外部に露出するように前記電装箱が前記筐体内に配置されること、
を特徴とする空気除菌装置。
【請求項６】
請求項２〜５のいずれか一項に記載の空気除菌装置において、
前記電装箱には、電装箱の外部に突出する庇部が設けられ、この庇部の下方に前記操作手段が設けられること、
を特徴とする空気除菌装置。
【請求項７】
請求項２〜６のいずれか一項に記載の空気除菌装置において、
前記操作手段は、前記電極への供給電力量を変更操作するものであること、
を特徴とする空気除菌装置。
【請求項８】
請求項２〜７のいずれか一項に記載の空気除菌装置において、
前記操作手段は、前記電極間の通電時間を変更操作するものであること、
を特徴とする空気除菌装置。
【請求項９】
請求項２〜８のいずれか一項に記載の空気除菌装置において、
前記操作手段は、前記電極間に流れる電流値を変更操作するものであること、
を特徴とする空気除菌装置。
【発明の詳細な説明】
【技術分野】
【０００１】
本発明は、空中浮遊微生物（細菌、ウィルス、真菌（以下、単に「ウィルス等」という。））の除去が可能な空気除菌装置に関する。
【背景技術】
【０００２】
一般に、空気中に浮遊するウィルス等の除去を目的として、水道水等を用いて電気分解を行い、次亜塩素酸等の活性酸素種を含む電解水を不織布等からなる加湿エレメント（濾材、気液接触部材）などに供給して、この加湿エレメントに供給された電解水にウィルス等を接触させ、ウィルス等の空中浮遊微生物を不活化することなどにより、空気を除菌する空気除菌装置が提案されている（例えば、特許文献１参照）。この種の空気除菌装置では、例えば一対の電極を備え、電極間に所定通電条件で通電することにより水道水等を電気分解して電解水を生成している。
【特許文献１】特開２００２−１８１３５８号公報
【発明の開示】
【発明が解決しようとする課題】
【０００３】
上述した空気除菌装置において、水道水を電気分解して電解水を生成するものでは、水道水の硬度等の水質によりスケールが発生しやすくなる。
水道水の水質は、世界各国毎、或いは国内でも地域毎に異なり、硬度が例えば１００ｐｐｍ以上と高くなるような場合には、短時間の内にスケールが発生し、電解水を生成するための電極や、電解水を気液接触部材に供給するパイプ等に詰まりやすくなり、これを解消するためには、水交換のメンテナンス時間を、例えば４０時間程度と短くしなければならない。一般に、水の硬度を調整して、硬度の高い水を軟水化するためのイオン交換樹脂が知られているが、イオン交換樹脂は再生できるものの、１回の再生で軟水化できる水の量に限界がある。
【０００４】
また、水道水に含まれる塩化物イオン濃度も世界各国毎、或いは地域毎に異なり、予め設定された電流値で、電極間に所定の通電時間、電力を供給しても空気除菌に必要な所定の濃度の活性酸素種を含む電解水を生成できない場合がある。電極間の通電状態は、予め標準的な水道水の水質に基づいてデフォルト設定されるが、空気除菌装置を所定地域に設置する際には、その地域における水道水の水質に応じて電極間の通電状態を変更しなければならない。しかし、空気除菌装置を一度設置した後は、水道水の水質が変動することは少なく、通電状態に関する設定を変更する機会は少ない。また、不用意に通電状態に関する設定が変更されると、電解水に含まれる活性酸素種の濃度が変動し、所望の空気除菌効果を得ることができなくなる。
【０００５】
そこで、本発明の目的は、上述した従来の技術が有する課題を解消し、電気分解時に発生するスケールの発生を抑制し、水交換に要するインターバル時間を長く設定できるようにした空気除菌装置を提供することにある。
【課題を解決するための手段】
【０００６】
本発明は、筐体内に送風機と気液接触部材とを備え、送風機により吸い込まれた室内空気に対し、気液接触部材で電解水を接触させて除菌した後に、該空気を室内空間に吹き出す空気除菌装置において、水を貯留した給水タンクと、給水タンクから流出した水を一時的に蓄える水受け皿と、水受け皿に蓄えた水を汲み上げる循環ポンプと、循環ポンプで汲み上げた水から電解水を生成する電解水生成部と、電解水を気液接触部材、水受け皿の順に環流させる環流経路とを備え、電解水の環流経路から外れた給水タンク内に、水の硬度を調整するためのイオン交換樹脂パックを備えたことを特徴とする。
【０００７】
本発明では、電解水の環流経路から外れた給水タンク内に、水道水等の水を軟水化するためのイオン交換樹脂パックを備えたため、環流する電解水に、イオン交換樹脂パックが接触することがない。即ち、イオン交換樹脂パックは、専ら給水タンク内の水を軟水化するだけに使用され、環流する電解水と接触しない。
環流する電解水は、既に軟水化しており、イオン交換樹脂に接触する必要がなく、本構成では、環流する電解水にイオン交換樹脂が接触しない分だけ、イオン交換樹脂の再生に要するインターバル時間を長くできる。
また、イオン交換樹脂パックは、所定量のイオン交換樹脂を袋詰めした状態としておけば、水の硬度に応じ、イオン交換樹脂パックの給水タンクへの投入個数を変更するだけで、水を簡単に軟水化できる。
【０００８】
この場合において、前記電解水生成部が少なくとも一対の電極と、これら電極間の通電状態を制御する制御部とを有し、前記制御部には、前記電極間の通電状態を変更操作するための操作手段を設けたものでもよい。
本構成では、電極間の通電状態を、予め標準的な水道水の水質に基づいて、デフォルト設定して工場出荷した場合であっても、操作手段を操作することで、前記電極間の通電状態を簡単に変更できる。
また、前記操作手段を、前記制御部を収容する電装箱に設けた孔から前記電装箱の外側に露出させて配置してもよい。
操作手段が、制御部を収容する電装箱に設けられた孔から電装箱の外側に露出して配置されているため、電装箱を開けることなく電気分解時の通電状態を変更できる。また、電装箱は筐体内に配置されるため、ユーザ等により不用意に電極間の通電状態が変更操作されるのを防止できる。
【０００９】
上記構成の空気除菌装置において、前記操作手段は、回転操作することにより前記電極間の通電状態を予め設定された複数段階の通電状態に段階的に変更可能に構成されることが好ましい。
この構成では、回転操作することによりユーザ等は簡易に予め設定された複数段階の通電状態に段階的に変更できる。
また、前記筐体は、取り外し自在な外装パネルを備え、前記外装パネルを取り外した際に、前記操作手段が外部に露出するように前記電装箱が前記筐体内に配置されることが好ましい。
この構成では、外装パネルを取り外すと、操作手段が外部に露出するように電装箱が筐体内に配置されているので、外装パネルを取り外すことにより簡易に電極間の通電状態を変更操作できる。また、外装パネルを取り付けておくことにより、操作手段が筐体の外部に露出するのが防止されており、ユーザ等により不用意に電極間の通電状態が変更されるのを防止できる。
【００１０】
前記電装箱には、電装箱の外部に突出する庇部が設けられ、この庇部の下方に前記操作手段が設けられることが好ましい。
この構成では、電装箱には、電装箱の外部に突出する庇部が設けられており、この下方に操作手段が設けられている。操作手段は、電装箱に設けられた孔から電装箱の外側に露出して配置されているので、庇部によりこの孔内部に水等が侵入するのを防止できる。
操作手段は、前記電極への供給電力量を変更操作するものでもよい。操作手段は、前記電極間の通電時間を変更操作するものでもよい。操作手段は、前記電極間に流れる電流値を変更操作するものでもよい。
【発明の効果】
【００１１】
本発明では、電解水の環流経路から外れたタンク内に、水道水を軟水化するためのイオン交換樹脂パックを備えたため、環流する電解水に、イオン交換樹脂パックが接触することがない。従って、環流する電解水にイオン交換樹脂が接触しない分だけ、イオン交換樹脂の再生に要するインターバル時間を長くできる。
また、イオン交換樹脂パックは、所定量のイオン交換樹脂を袋詰めした状態としておけば、水道水の硬度に応じ、イオン交換樹脂パックのタンクへの投入個数を変更するだけで、水道水を簡単に軟水化できる。
【発明を実施するための最良の形態】
【００１２】
以下、図面を参照して、本発明の実施の形態を説明する。
図１に、本実施の形態の空気除菌装置１の外観斜視図を示す。この空気除菌装置１は、水道水等を用いて所定の活性酸素種を含む電解水を生成し、空気除菌装置１内に吸い込んだ室内の空気をこの電解水を用いて除菌して、除菌後の清浄な空気を室内に送風する装置である。
【００１３】
図１に示すように、空気除菌装置１は、縦長の略直方体状に形成された箱形の筐体１０を備えており、床置き式となっている。筐体１０の両側面には空気を吸い込むための吸込口１１が形成されており、筐体１０の天面には空気を吹き出すための吹出口１２が形成されている。吸込口１１には長尺な羽板を水平方向に複数平行に配置した吸込グリル１１ａが設けられており、吹出口１２には空気を吹き出す方向を変化させるためのオートルーバー１２ａが設けられている。
【００１４】
筐体１０の前面（正面）側には、上部前面パネル１３（外装パネル）と、下部前面パネル１４とが設けられており、これらはそれぞれ開閉自在となっている。また、筐体１０の天面には、吹出口１２の前側に吹出口１２と平行に長尺に形成された操作パネル１５ａ（図２参照）が設けられ、この操作パネル１５ａには開閉自在な蓋１５が設けられている。また、筐体１０の天面の一側方（正面視において右側方）には後述する給水タンク４１（図２参照）を出し入れするための開閉蓋１６が設けられている。
【００１５】
次に、図２〜図４を参照して、空気除菌装置１の内部構成を説明する。
図２は、空気除菌装置１の内部の主要構成を示す斜視図であり、図３は側断面視図である。図２および図３に示すように、空気除菌装置１は、筐体１０の内部に、筐体１０に形成された吸込口１１から吹出口１２に向かう送風経路を筐体１０内に形成する送風機２１と、この送風機２１による送風経路上に配置されて、この送風経路を介して供給される空気に電解水を接触させる気液接触部材３１を有する空気除菌部３０と、この気液接触部材３１に電解水を循環供給する電解水循環供給部４０の構成要素である給水タンク４１、循環ポンプ４２、電解槽（電解水生成部）４３および水受け皿４４とを備えている。また、筐体１０内には、この空気除菌装置１における各部を制御する制御部５２（図５参照）、その他各種電装部品が収容される電装箱５０が筐体１０内に配置されている。以下、これらの配置例について説明する。
【００１６】
図２および図３に示すように、筐体１０の内部は仕切板１７により上下に分割されており、仕切板１７で仕切られた筐体１０の下部には、上記送風機２１と、水受け皿４４に貯留された電解水等を排水するための排水タンク４５等とが配置されている。
【００１７】
図２および図３に示すように、送風機２１は、送風ファン２１ａと、この送風ファン２１ａを駆動する駆動モータ２１ｂとを備えている。図２に示すように、送風ファン２１ａは、正面視において、筐体１０の左側に配置されており、その送風口２１０ａは、筐体１０の背面側部分において上向きに設けられている（図３参照）。仕切板１７には、この送風ファン２１ａの送風口２１０ａの上方に図示しない開口が形成されている。この開口は背面側上下に伸びる空間（以下、背面側空間Ａという）に連通している。従って、送風ファン２１ａにより吸込口１１から吸い込まれた空気は、筐体１０の下部前面側から背面側に向かい、筐体１０の背面側空間Ａにおいて上方に向かって送風される。
【００１８】
仕切板１７の上方には、図３に示すように、背面側空間Ａとともに前面側空間Ｂが形成されており、背面側空間Ａと前面側空間Ｂとを仕切るように気液接触部材３１が立設されている。
【００１９】
気液接触部材３１は、上記の送風経路を介して気液接触面３１ａに供給される空気に電解水を接触させるための部材である。この気液接触部材３１において筐体１０内に吸い込まれた空気が所定の活性酸素種を含む電解水に接触することで、空気中に含まれるウィルス等が不活化されることなどにより、空気の除菌が行われる。
【００２０】
この気液接触部材３１は、ハニカム構造（図示略）を持ったフィルタ部材（濾材）を用いて構成することができる。ハニカム構造とすることで、気体接触面積を広く確保することができ、電解水を滴下でき、目詰まりしにくい構造とできる。気液接触部材３１は、電解水に反応性の少ない素材、要するに、電解水による劣化が少ない素材、例えば、ポリオレフィン系樹脂（ポリエチレン樹脂、ポリプロピレン樹脂等）、ＰＥＴ（ポリエチレン・テレフタノール）樹脂、塩化ビニル樹脂、フッ素系樹脂（ＰＴＦＥ、ＰＦＡ、ＥＴＦＥ等）、セルロース系材料またはセラミックス系材料等の素材を使用することができる。
【００２１】
図３に示すように、背面側空間Ａの上方には、筐体１０の背面側から前面側に向かって下方に傾斜する導風板１８ａ、１８ｂが高さ方向の位置を違えて２枚設けられており、この２枚の導風板１８ａ、１８ｂはフレーム部材１８ｃにより支持されている。背面側空間Ａにおいて上方に送風された空気は、この２枚の導風板１８ａ、１８ｂに当たり、図中矢印で示すような経路を通って気液接触部材３１に供給される。気液接触部材３１を通過した空気は、前面側空間Ｂにおいて上方に向かい、前面側空間Ｂと連通する吹出口１２から室内に送風されることになる。なお、気液接触部材３１と上部前面パネル１３との間には、ハウジング１９が設けられており、送風経路を形成するとともに、気液接触部材３１等からの電解水等の水はねを防止している。
【００２２】
図２に示すように、仕切板１７の上方の正面視において左側には、上記気液接触部材３１の他に、仕切板１７の上に電装箱５０が載置されている。この電装箱５０の上方には水受け皿４４が配置され、この水受け皿４４を介して上記気液接触部材３１が配置される。また、仕切板１７の上方の右側には上記の開閉蓋１６の下方に配置される給水タンク４１と、給水タンク４１の後方に配置される電解槽４３、水受け皿４４内の水を電解槽４３および気液接触部材３１に供給する循環ポンプ４２とが配置され、これらにより電解水循環供給部４０が構成される。
【００２３】
給水タンク４１は、電解水を生成するために使用する水道水等を貯留するためのタンクである。給水タンク４１の給水口は水受け皿４４の貯留部４４ａに配置され、水受け皿４４に適量の水を供給する。但し、電解水の生成に供する水は水道水に限るものではなく、水道水の他、井戸水、純水、精製水などを用いることができる。電解槽４３では後述のように水（電解槽４３において生成された電解水を含む）の電気分解により電解水を生成する構成としているため、給水タンク４１には、例えば、塩化物イオン等の所定のイオン種を含む水が貯留されることが好ましい。このため、イオン種濃度の低い水道水や井戸水、純水、精製水などを用いる場合には、例えば、食塩などの所定のイオン種を含む物質を電気分解を促進するための電解促進剤として添加することが好ましい。
【００２４】
図４に示すように、気液接触部材３１の上部には、電解水循環供給部４０の構成要素の一つである散水ボックス４６が組み付けられ、気液接触部材３１の下方には上記の水受け皿４４が配置している。水受け皿４４は、給水タンク４１の吸水口が配置される貯留部４４ａと気液接触部材３１の下方に配置され気液接触部材３１から排出される電解水を受ける水受け部４４ｂとを備えている。循環ポンプ４２は貯留部４４ａに配置され、電解槽４３において生成された電解水に含まれるスケール等の不溶物を除去するためのフィルタ材４７が水受け部４４ｂと貯留部４４ａとの連接部に配置されている。このフィルタ材４７により、気液接触部材３１から排出された電解水に含まれる不溶物が除去される。このようにフィルタ材４７を配置することで、循環ポンプ４２により汲み上げる水に、スケールや花粉等の不溶物が混入しないように構成されている。
【００２５】
本実施の形態においては、図４に矢印で示すように、循環ポンプ４２で汲み上げた水の一部が、散水ボックス４６を介して気液接触部材３１に供給され、残りの水が、電解槽４３に供給される。電解槽４３において生成された電解水はフィルタ材４７を介して貯留部４４ａに供給され、貯留部４４ａに貯留された電解水は循環ポンプ４２により再び気液接触部材３１および電解槽４３に分散供給される。このように、電解槽４３においては電解水を用いて繰り返し電気分解を行わせることにより、活性酸素種の濃度の高い電解水を生成することができるようになっている。また、気液接触部材３１から排出される電解水を循環利用することにより、給水タンク４１からは水量の不足分のみを補う構成とすることができ、水資源を有効活用することができる。
【００２６】
また、貯留部４４ａの底部には図示しない排水孔が形成され、図示しない排水管を介して排水タンク４５が接続されている。排水管には図示しない排水バルブが設けられており、この排水バルブを開くことにより排水管に接続された排水タンク４５に水受け皿４４内の水を排出できるようになっている。
【００２７】
次に電解槽４３について説明する。電解槽４３は、少なくとも一対の電極（図示略）を有し、電極間に電圧を印加した場合、電解槽４３に流入した水道水等の水を電気分解して活性酸素種を含む電解水を生成させる。ここで、活性酸素種とは、通常の酸素よりも高い酸化活性を持つ酸素分子と、その関連物質を含み、スーパーオキシドアニオン、一重項酸素、ヒドロキシルラジカル、或いは過酸化水素といった、いわゆる狭義の活性酸素に、オゾン、次亜ハロゲン酸等といった、いわゆる広義の活性酸素を含むものとする。
【００２８】
電極は、例えば、ベースがＴｉ（チタン）で皮膜層がＩｒ（イリジウム）、Ｐｔ（白金）から構成された電極板である。
【００２９】
上記電極により水道水等に通電すると、カソード電極では次の反応が起こる。
４Ｈ+＋４ｅ-＋（４ＯＨ-）→２Ｈ2＋（４ＯＨ-）
【００３０】
一方、アノード電極では、
２Ｈ2Ｏ→４Ｈ+＋Ｏ2＋４ｅ-
の反応が起こると同時に、
水に含まれる塩化物イオン（Ｃｌ-）等（水道水等の水に予め含有されているもの）が、
２Ｃｌ-→Ｃｌ2＋２ｅ-
のように反応し、さらにこのＣｌ2は水と反応し、
Ｃｌ2＋Ｈ2Ｏ→ＨＣｌＯ＋ＨＣｌ
となる。
【００３１】
上記の構成では、電極に通電することで、殺菌力の大きいＨＣｌＯ（次亜塩素酸）等が発生する。
【００３２】
例えば、次亜塩素酸等を含む電解水を気液接触部材３１に供給することで、気液接触部材３１における雑菌の増殖を防止でき、気液接触部材３１を通過する空気中に浮遊するウィルス等を不活化したり、除菌することができる。また、臭気等のガス状物質も電解水に溶解したり、気液接触部材３１を通過する際に、電解水中の次亜塩素酸等と反応したりすることで、空気中から除去され、脱臭される。
【００３３】
水道水を電気分解して電解水を生成する場合には、水道水の硬度等の水質によりスケールが発生しやすくなる。
【００３４】
本実施の形態では、循環ポンプ４２で汲み上げた電解水を気液接触部材３１、水受け皿４４の順に環流させる環流経路を備え、該環流経路から外れた給水タンク４１内に、図２に示すように、水の硬度を調整するためのイオン交換樹脂パック１００が配置される。イオン交換樹脂パック１００は、所定のパック材質中にイオン交換樹脂をパック詰めしたものであり、イオン交換樹脂は所定の再生処理により再生が可能である。本構成では、電解水の環流経路から外れた給水タンク４１内に、水道水等の水を軟水化するためのイオン交換樹脂パック１００を備えたため、環流する電解水には、イオン交換樹脂パック１００が接触することがない。即ち、イオン交換樹脂パック１００は、専ら給水タンク４１内の水を軟水化するだけに使用され、環流する電解水とは接触しない。環流する電解水は、既に軟水化しており、イオン交換樹脂に接触する必要がなく、本構成では、環流する電解水にイオン交換樹脂が接触しない分だけ、イオン交換樹脂の再生に要するインターバル時間を長くできる。また、イオン交換樹脂パック１００は所定量のイオン交換樹脂をパック詰めしたものであり、水の硬度に応じ、イオン交換樹脂パック１００の給水タンク４１への投入個数を変更するだけで、水を簡単に軟水化できる。図５は、イオン交換樹脂パック１００の給水タンク４１への投入個数の一例を示している。例えば水道水の硬度が１００ｐｐｍ以下の場合、投入は不要であり、硬度が１００ｐｐｍ〜２００ｐｐｍの場合には１個投入、硬度が２００ｐｐｍ〜３００ｐｐｍの場合には２個投入、３００ｐｐｍ〜４００ｐｐｍの場合には３個投入すればよい。イオン交換樹脂パック１００の交換時期はフィルターランプの点灯により報知される。
【００３５】
本構成では、イオン交換樹脂パック１００の配置により水道水が軟水化されるため、スケールの発生を抑制できる。従って、水道水の硬度が高い国や地域に空気除菌装置１を設置した場合であっても、電解水を生成するための電極や、電解水を気液接触部材３１に供給するパイプ等へのスケール詰まりが抑制され、水交換のメンテナンス時間を、例えば６０時間以上と長く設定できる。
【００３６】
また、電解水を生成する際に、電解水中の活性酸素種の濃度は、除菌するウィルス等を不活化させる濃度となるように調整される。活性酸素種の濃度の調整は、電極間に印加する電圧を調整して、電極間に流す電流値を調整することにより行われる。
【００３７】
例えば、この電極の間に流れる電流値を、電流密度で２０ｍＡ／ｃｍ2とすると、次亜塩素酸の場合、所定の遊離残留塩素濃度（例えば、１ｍｇ／リットル）を発生させる。電極間に印加する電圧を変更して、電流値を調整することで電解水中に含まれる活性酸素種の濃度を調整することができ、基本的には電流値を高くすることにより、電解水中の活性酸素種の濃度を高くすることができる。
【００３８】
この電解槽４３において、電気分解時に電極間に印加する電圧値、電極の間に流れる電流値、通電時間等は、予め、出荷時に水道水中の塩化物濃度等の所定のイオン種濃度の標準的な値に応じて設定される。しかし、水道水中の塩化物イオン濃度等のイオン種濃度（水質）は空気除菌装置１の設置地域（例えば、国別、地域別）によって異なるため、イオン種濃度の低い地域では同じ電流値で同じ通電時間だけ電極間に電力を供給しても、所定の濃度の活性酸素種を含む電解水を生成することができず、所望の空気除菌効果を得ることができない場合がある。
【００３９】
本実施の形態では、図６（ａ）、（ｂ）に示すように、空気除菌装置１を設置する際あるいは設置後においても電解槽４３の電極間の通電状態を変更操作するための回転操作つまみ５１（操作手段）が、電装箱５０内の制御部５２（制御基板５２ａ）に設けられている（図６（ｂ）参照）。電装箱５０は、制御部５２の構成要素であるＣＰＵ、ＲＡＭ、ＲＯＭなどが配置される制御基板５２ａ、５２ｂの他、上述した通り各種電装部品を収容するものである。
【００４０】
図６（ｂ）に示すように、回転操作つまみ５１は、図示例において、電装箱５０の前面の左側上方の位置に配置されるように制御基板５２ａに設けられている。そして、図６（ａ）に示すように、電装箱５０の前面パネル５３に形成された孔５４からこの回転操作つまみ５１が外部に露出するように配置されている。
【００４１】
電装箱５０は、図２において示したように、仕切板１７の上面に載置されており、図７に示すように、筐体１０から上部前面パネル１３を取り外した際に、この回転操作つまみ５１が外部に露出するように配置されている。なお、図７に示すように、電装箱５０の上下方向における略中央位置に上部前面パネル１３と下部前面パネル１４との境界位置が位置しており、上部前面パネル１３を筐体１０から取り外すと電装箱５０の上部のみが外部に露出するようになっている。但し、図７において、電装箱５０、送風機２１、排水タンク４５を破線により示している。
【００４２】
図８（ａ）〜（ｃ）に示すように、回転操作つまみ５１は、「０」〜「９」のいずれかの電解条件指定番号（通電状態指定番号）が所定の角度毎に記載された円盤形状の電解条件指定番号記載部５１ａと、この電解条件指定番号記載部５１ａに記載された電解条件指定番号のうち一の番号を残して、他の番号を隠微するとともに、つまみ５１ｃが外部に突出するように設けられた回転操作部５１ｂとを有している。
なお、回転操作部５１ｂを電装箱５０の前面パネル５３から電装箱５０の外側に突出するように設けてもよいし、電装箱５０の前面パネル５３に形成された孔５４内に内包されるように配置してもよい。なお、本実施の形態では、回転操作つまみ５１は孔５４に内包するように設けられているため、図８（ａ）に示すように、ペン先６０などで、つまみ５１ｃを回転操作するようになっている。
【００４３】
本実施の形態では、回転操作部５１ｂを所定の角度ずつ回転操作をすることにより、「０」〜「９」のいずれかの電解条件指定番号（通電状態指定番号）を選択することができるようになっている。制御部５２は回転操作つまみ５１により選択された電解条件指定番号に対応付けられた通電状態となるように、電極間に所定の電流値を所定の通電時間流すように制御される。
【００４４】
具体的には、各電解条件指定番号には所定の通電状態が対応付けられており、これは電解条件指定番号が大きくなるにつれて、電極への供給電力量が段階的に増加するようになっている。出荷時には、例えば電解条件指定番号を中間の番号である「５」に合わせられており、空気除菌装置１の設置国、或いは設置地域における水道水の水質等、電気分解に供する水のイオン種濃度に応じて、電解条件指定番号を変更操作することにより、電極間の通電状態が変更される。
【００４５】
本実施の形態では、図５に示すように、水道水の硬度および塩素イオン濃度に応じ、スケールの発生しにくい、或いは、所定の濃度の活性酸素種を含む電解水を生成しやすい水質調整を簡易に行うことができる。水道水の硬度が高い場合には、上述のようにイオン交換樹脂パック１００の投入個数を変更すればよい。イオン交換樹脂パック１００の投入により水道水の硬度を調整した上で、塩素イオン濃度に応じ電解条件を調整できる。電解条件指定番号を所定番号に合わせることで、所定の濃度の活性酸素種を含む電解水を生成しやすくなる。なお、図５では、上述の電解条件指定番号「１」〜「７」等が「Ｎｏ．１」〜「Ｎｏ．７」等に対応している。
【００４６】
電極への供給電力量を増減するには、電極間に流す電流値を増減することによって行ってもよいし、電極間の通電時間を増減することによって行ってもよい。
【００４７】
また、「０」〜「９」の電解条件指定番号のうち、電解条件指定番号の一部に対して上記のように電極への供給電力量が段階的に変更するように対応付けておき、残りの一部の電解条件指定番号に対しては例えば特殊な運転モード時における所定の通電状態に対応付けるようにしてもよい。この様な特殊な運転モードとして、例えば、電極に堆積したスケール等を除去させるために極性を反転させて電極間に通電を行うスケール除去運転モードや、通常よりも活性酸素種の濃度の濃い電解水を生成して、気液接触部材３１等に供給することにより気液接触部材３１等の清掃を行うクリーニングモードなどが挙げられる。
【００４８】
以上説明した本実施の形態によれば、送風機２１により吸込口１１から吹出口１２に向かう送風経路が筐体１０内に形成され、送風経路上に配置される気液接触部材３１において電解水に空気が接触することにより、吸い込んだ室内の空気に含まれるウィルス等が除菌される。空気除菌装置１の設置国、或いは設置地域によって、水道水の硬度が高いような場合には、上述のようにイオン交換樹脂パック１００の投入個数を変更すれば、水道水を適度に軟水化できる。
【００４９】
電解槽４３は少なくとも一対の電極を有し、所定の水を電気分解することにより電解水を生成する。この電解槽４３が有する電極間の通電状態は、制御部５２により制御される。このときの、通電状態を変更操作するための回転操作つまみ５１が制御部５２に設けられており、この回転操作つまみ５１は制御部５２を収容する電装箱５０に設けられた孔から電装箱５０の外側に露出して配置されている。このため、電装箱５０を開けることなく簡易に電気分解時の通電状態を変更することができる。また、電装箱５０は筐体１０内に配置されるため、ユーザ等により不用意に電極間の通電状態が変更操作されるのを防止することができる。
【００５０】
また、回転操作つまみ５１を回転操作することによりユーザ等は簡易に予め設定された複数段階の通電状態に段階的に変更することができる。
【００５１】
また、筐体１０から上部前面パネル１３を取り外すと、回転操作つまみ５１が外部に露出するように電装箱５０が筐体１０内に配置されているので、上部前面パネル１３を取り外すことにより簡易に回転操作つまみ５１を操作して電極間の通電状態を変更操作することができる。また、上部前面パネル１３の内側に電装箱５０を収容することで、回転操作つまみ５１が筐体１０の外部に露出するのが防止されており、ユーザ等により不用意に電極間の通電状態が変更されるのを防止することができる。また、回転操作つまみ５１は電装箱５０の前面パネル５３に設けられた孔内に内包されているので、ユーザ等による不用意な操作が更に防止されている。
【００５２】
但し、上記実施の形態は本発明の一態様であり、本発明の趣旨を逸脱しない範囲において適宜変更可能であるのは勿論である。
例えば、上記実施の形態において、空気除菌装置１は床置き式の筐体１０を備えるものとして説明したが、空気除菌装置１の設置形式は床置き式のものに限定されるものではなく、壁掛け式であってもよいし、天井吊り下げ式であってもよいし、天井埋込型であってもよいし、特に限定されるものではないのは勿論である。
【００５３】
また、筐体１０から上部前面パネル１３を取り外した際に、回転操作つまみ５１が外部に露出するように電装箱５０を筐体１０内に配置するものとして説明したが、例えば、下部前面パネル１４を取り外した際に回転操作つまみ５１が外部に露出するように電装箱５０を配置してもよいのは勿論である。要は、取り外し自在あるいは開閉自在に構成された外装パネルの内側に、これらの外装パネルを開けた際あるいは取り外した際に、回転操作つまみ５１が外部に露出するように電装箱５０が配置されていれば、筐体１０内における電装箱５０の位置が限定されるものではない。
【図面の簡単な説明】
【００５４】
【図１】本発明に係る空気除菌装置の外観構成例を示す斜視図である。
【図２】本発明に係る空気除菌装置の内部構成例を示す斜視図である。
【図３】本発明に係る空気除菌装置の側断面視図である。
【図４】本発明に係る空気除菌装置における電解水の循環経路を説明するための図である。
【図５】硬度および塩素イオン濃度に対応させて行われる水質調整を説明するための図である。
【図６】本発明に係る空気除菌装置の筐体内に備えられる電装箱の外観構成例を示す斜視図（ａ）および内部構成例を示す斜視図（ｂ）である。
【図７】本発明に係る電装箱の筐体内における配置を破線で示す正面図である。
【図８】本発明に係る操作手段の構成例を説明するための図である。
【符号の説明】
【００５５】
１  空気除菌装置
２１  送風機
３０  空気除菌部
３１  気液接触部材
４０  電解水循環供給部
４１  給水タンク
４２  循環ポンプ
４３  電解槽（電解水生成部）
４４  水受け皿
５０  電装箱
５１  回転操作つまみ（操作手段）
１００  イオン交換樹脂パック
【図１】
2008167952.tif 000003
【図２】
2008167952.tif 000004
【図３】
2008167952.tif 000005
【図４】
2008167952.tif 000006
【図５】
2008167952.tif 000007
【図６】
2008167952.tif 000008
【図７】
2008167952.tif 000009
【図８】
2008167952.tif 000010